(57)【要約】【課題】腰部と脇腹と肩部とを同時にストレッチ運動できるストレッチ椅子を提供することを目的とする。【解決手段】本発明のストレッチ椅子は、脚部により支持され、使用者が着座する着座部と、前記着座部の両側に配設された肘掛部と、前記着座部の後側に配設され、前記使用者の背中を支える背当て部とを備える。前記着座部には、使用者が前記着座部を左右に回動させることが可能である着座部回動機構を介して、前記脚部に支持され、前記肘掛部は、前記着座部回動機構の回動と連動して前記肘掛部が上下動するような肘掛部上下動機構を介して前記脚部に支持される。よって、前記着座部を左右に回動すると、前記肘掛部が、前記着座部の回動と連動して上下動し、使用者が腰部のストレッチ運動と同時に肩を上下させるストレッチ運動と脇腹を伸ばすストレッチ運動を行うことが可能となる。【選択図】  図１
2011036454.tif 000002
【特許請求の範囲】
【請求項１】
脚部により支持され、使用者が着座する着座部と、
前記着座部の両側に配設された肘掛部と、
前記着座部の後側に配設され、前記使用者の背中を支える背当て部と
を備えたストレッチ椅子において、
前記背当て部は前記脚部によって支持され、
前記着座部は、使用者が前記着座部を左右に回動させることが可能なように着座部回動機構を介して、前記脚部によって支持され、
前記肘掛部は、前記着座部回動機構の回動と連動して前記肘掛部が上下動するような肘掛部上下動機構を介して前記脚部に支持されていることを特徴とするストレッチ椅子。
【請求項２】
前記肘掛部上下動機構は、
前期着座部が回動している際に、前記着座部の前方側が回動している方向と同じ側に配設されている肘掛部が下向きに動作し、前記着座部の前方側が回動している方向と反対側に配設されている肘掛部が上向きに作動するように構成されていることを特徴とする請求項１に記載のストレッチ椅子。
【請求項３】
前記肘掛部上下動機構は、前記着座部回動機構の回動と連動して回動するピニオンラックギアと、前記ピニオンギアと噛み合うラックギアとからなることを特徴とする請求項１乃至２に記載のストレッチ椅子。
【請求項４】
前記着座部が回動している間は共動して作動するバイブレーション機構を前記着座部に設けたことを特徴とする請求項１乃至３に記載のストレッチ椅子。
【発明の詳細な説明】
【技術分野】
【０００１】
本発明は、腰部と脇腹と肩部とを同時にストレッチすることのできるストレッチ椅子に関する。
【背景技術】
【０００２】
一般に、デスクワーク時に用いる事務用椅子は、高さを調整する機構やリクライニング機構が設けられており、デスクワーク中の姿勢をある程度調整することができ、そのことにより業務中に適切な姿勢をとることができる。しかし、デスクワークを長時間続けると、同一の姿勢を保ち続けることになり、それが原因となって血行不良が発生し、腰痛、肩こり等を引き起こすことがあり、適宜適切な運動を行わないと業務効率に影響を生じることがあった。
【０００３】
これらの問題を解決するため、特許文献１には、背もたれとシートとを異なる方向に回転可能とすることでツイスト運動具としての機能が提供された事務用椅子により、腰部の運動が可能となる提案が例示されている。
【０００４】
また、特許文献２には、例えば、左腕側の肘掛部を移動させた場合に、連動して背当て部の左端が後退するような構造となっているストレッチ椅子により、脇腹部のストレッチ運動が可能となる提案が例示されている。
【０００５】
また、特許文献３には、肩関節の上げ下げ運動により肩こりをほぐす効果が得られる肩こり症治療機が提案されている。
【先行技術文献】
【特許文献】
【０００６】
【特許文献１】実用新案登録第３０５１２９１号公報
【特許文献２】特開２００３−１２６２９２号公報
【特許文献３】実用新案登録第３１０３２４７号公報
【発明の概要】
【発明が解決しようとする課題】
【０００７】
しかしながら、特許文献１乃至３に示された提案は、いずれも身体中の一箇所に対するストレッチ等の運動を可能とするものであり、デスクワークを行いながら、複数の箇所に対して同時のストレッチ等の運動を可能とするものではなく、同一の姿勢を保ち続けることによる血行不良の発生に伴う腰痛、肩こり等を一度に解消できる運動を行うことはできなかった。
【０００８】
本発明は、腰部と脇腹と肩部とについて、同時にストレッチ運動を行うことを可能とするストレッチ椅子を提供することを目的とする。
【課題を解決するための手段】
【０００９】
上記目的を達成するために、本発明の請求項１に係る発明のストレッチ椅子は、脚部により支持され、使用者が着座する着座部と、前記着座部の両側に配設された肘掛部と、前記着座部の後側に配設され、前記使用者の背中を支える背当て部とを備えたストレッチ椅子において、前記背当て部は前記脚部によって支持され、前記着座部は、使用者が前記着座部を左右に回動させることが可能なように着座部回動機構を介して、前記脚部によって支持され、前記肘掛部は、前記着座部回動機構の回動と連動して前記肘掛部が上下動するような肘掛部上下動機構を介して前記脚部に支持されていることを特徴とする。
【００１０】
また、本発明の請求項２に係る発明のストレッチ椅子は、請求項１に記載の発明の構成に加え、前記肘掛部上下動機構は、前記着座部の前方側が回動している方向と同じ側に配設されている肘掛部が下向きに動作し、前記着座部の前方側が回動している方向と反対側に配設されている肘掛部が上向きに作動するような機構であることを特徴とする。
【００１１】
また、本発明の請求項３に係る発明のストレッチ椅子は、請求項１乃至２に記載の発明の構成に加え、前記肘掛部上下動機構は、前記着座部回動機構の回動と連動して回動するピニオンギアと、前記ピニオンギアと噛み合うラックギアとからなることを特徴とする。
【００１２】
また、本発明の請求項４に係る発明のストレッチ椅子は、請求項１乃至３に記載の発明の構成に加え、前記着座部が回動している間は共動して作動するバイブレーション機構を前記着座部に設けたことを特徴とする。
【発明の効果】
【００１３】
請求項１に係る発明のストレッチ椅子は、脚部により支持され、使用者が着座する着座部と、前記着座部の両側に配設された肘掛部と、前記着座部の後側に配設され、前記使用者の背中を支える背当て部とを備えたストレッチ椅子において、前記背当て部は前記脚部によって支持され、前記着座部は、使用者が前記着座部を左右に回動させることが可能なように着座部回動機構を介して、前記脚部によって支持され、前記肘掛部は、前記着座部回動機構の回動と連動して前記肘掛部が上下動するような肘掛部上下動機構を介して前記脚部に支持されている。前記着座部を左右に回動可能とすることで、使用者が腰部のストレッチ運動を行うことが可能となる。また、前記肘掛部が、前記着座部の回動と連動して上下動することにより、使用者が腰部のストレッチ運動と同時に脇腹を伸ばすストレッチ運動を行うことが可能となる。また、脇腹を伸ばすストレッチ運動と同時に、肩を上下させることが可能となり、肩のストレッチ運動を行うことが可能となる。よって、使用者が、腰部と脇腹と肩部とについて同時にストレッチ運動を行うことのできるストレッチ椅子を得ることができる。
【００１４】
請求項２に係る発明のストレッチ椅子は、請求項１に記載の発明の効果に加え、前記肘掛部上下動機構が、前記着座部の前方側が回動している方向と同じ側に配設されている肘掛部が下向きに動作し、前記着座部の前方側が回動している方向と反対側に配設されている肘掛部が上向きに作動するような機構であることにより、脇腹のストレッチ運動をより効果的に行うことのできるストレッチ椅子を得ることができる。
【００１５】
請求項３に係る発明のストレッチ椅子は、請求項１乃至２に記載の発明の効果に加え、前記肘掛部上下動機構が、前記着座部回動機構の回動と連動して回動するピニオンギアと、前記ピニオンギアと噛み合うラックギアとからなるため、より簡単な構造のストレッチ椅子を得ることができる。
【００１６】
請求項４に係る発明のストレッチ椅子は、請求項１乃至３に記載の発明の効果に加え、前記着座部が回動している間は共動して作動するバイブレーション機構を前記着座部に設けたことにより、血行を促進する効果のあるストレッチ椅子を得ることができる。
【図面の簡単な説明】
【００１７】
【図１】第１実施形態のストレッチ椅子の斜視図である。
【図２】第１実施形態のストレッチ椅子の前面図である。
【図３】第１実施形態のストレッチ椅子の側面図である。
【図４】第１実施形態のストレッチ椅子の、肘掛部の拡大図である。
【図５】第１実施形態のストレッチ椅子の、着座部の回動と肘掛部の上下動の関係を示す図である。
【図６】第１実施形態のストレッチ椅子の、着座部の回動と肘掛部の上下動の関係を示す図である。
【図７】第２実施形態のストレッチ椅子の斜視図である。
【図８】第２実施形態のストレッチ椅子の肘掛部の拡大図である。
【図９】第２実施形態のストレッチ椅子の、着座部の回動と肘掛部の上下動の関係を示す図である。
【図１０】第２実施形態のストレッチ椅子の、着座部の回動と肘掛部の上下動の関係を示す図である。
【発明を実施するための形態】
【００１８】
＜第１実施形態＞
以下、本発明のストレッチ椅子について、図面を参照して説明する。図１は、本発明の一具体例である、第１実施形態のストレッチ椅子１の概略を示す斜視図である。また、図２は、第１実施形態のストレッチ椅子１の前面図であり、図３は第１実施形態のストレッチ椅子１の側面図である。また、図４は、第１実施形態のストレッチ椅子１の肘掛部１２の拡大図である。
【００１９】
なお、以降の説明にて、使用者がストレッチ椅子１に着座した場合に向くと想定される方向を前方、その反対方向を後方、使用者の左側を左方、右側を右方、図面上側を上方、その反対方向を下方と定義して説明する（図１の矢印５０にて示す）。
【００２０】
ストレッチ椅子１は、図１乃至図３に示す通り、着座部１１と、着座部１１の左右に配設されている肘掛部１２（着座部１１の左側１２Ｌ、右側１２Ｒ）と、着座部１１の後方に配設されている背当て部１３を備えている。着座部１１の下方には着座部回動機構１４が、脚部１５との間に設けられている。
【００２１】
前記脚部１５は、着座部支持部１５ａ、背当て支持固定部１５ｂ、脚１５ｃ、キャスター部１５ｄを有する。前記着座部支持部１５ａは円柱状に形成され、中心が上下方向に延びるように形成されている。その内部には円柱状の空間１５ｅが形成され、空間１５ｅは上方が開放されている。前記着座部支持部１５ａの外周部には背当て支持部固定部１５ｂが固定されており、背当て支持部固定部１５ｂの外周部には背当て支持部１６の下端部分が固定されている。前記着座部支持部１５ａの下端には、脚１５ｃが水平方向でかつ放射状に延出して設けられ、その各脚１５ｃの先端下側にはキャスター１５ｄがそれぞれ回転可能に設けられている。なお、脚１５ｃは図１の例では４本設けられているが、これには限定されず、例えば５本であってもよい。
【００２２】
前記着座部回動機構１４は、歯車部１４ａと、支持部１４ｂとから構成される。前記歯車部１４ａは、円盤形状をなし、その外周面には平歯車が形成されている。前記歯車部１４ａの下面中心部からは、円柱形状をなす前記支持部１４ｂが下方に延びるように形成され、その直径は前記空間１５ｅの内径よりもやや小さく形成されている。よって、支持部１４ｂを空間１５ｅに挿入することで、前記歯車部１４ａは、脚部１５により水平な平面内で回動可能に支持される。
【００２３】
前記着座部１１は、前記着座部回動機構１４の歯車部１４ａの上面に固定されており、ストレッチ椅子１の使用者が着座する部位である。その形状は平板状であり、一般的な事務椅子等で用いられる四角形状のものが例示されるが、それには限定されない。前記着座部１１が歯車部１４ａの上面に固定された状態において、前記歯車部１４ａの直径は、少なくとも前記着座部１１の左右両側において着座部１１よりも外側にはみ出す大きさに設定されており、また、少なくとも着座部１１の前側においては、着座部１１よりも外側にはみ出さないことが望ましい。本実施形態においては、着座部１１の前後両側において歯車部１４ａが着座部１１よりもはみ出さないように、着座部１１の前後方向の長さ、及び歯車部１４ａの直径が設定されている。なお、支持部１４ｂと空間１５ｅには、歯車部１４ａ及び歯車部１４ａの上面に固定されている着座部１１が左右両方向に９０度以上回動しないような、図示しないストッパーが設けられている。
【００２４】
前記背当て支持部１６は、脚部１５の背当て支持固定部１５ｂから後方の斜め上方に延出し、さらに上方に延出して設けられ、その上端部には背当て部１３が取り付けられている。また、前記背当て支持部１６の中間部分からは、前記着座部１１の後ろ側及び左右両側に沿って延出する肘掛支持部１７が略水平に延びている。
【００２５】
前記背当て部１３は四角形の平板状をしており、背当て支持部１６の上端部に固定されて着座部１１の後方に設けられる。背当て部１３は背当て支持部１６を通じて脚部１５に固定されており、着座部１１とは直接接続はされておらず、着座部１１の回動と連動して動作しない。背当て部１３の形状は、四角形には限定されず、例えば角部は丸みを帯びた形状になっていてもよい。
【００２６】
肘掛部１２は、図１乃至図４に示す通り、肘掛１２０と肘掛部上下動機構１２１及び肘掛回動防止部１２４とから構成されている。肘掛部上下動機構１２１は、前記着座部１１の左右両側に設けられている前記肘掛支持部１７の上側に設置され、前記肘掛支持部１７に垂直な軸線を中心に回動自在に軸支された回動部１２２と、回動部１２２の上方に設けられる上下動部１２３とからなる。回動部１２２は、歯車部１２２ａとネジ部１２２ｂとから構成されている。歯車部１２２ａは、円盤形状をなし、その外周面には平歯車が形成され、着座部回動機構１４の歯車部１４ａと互いに歯をかみ合う位置に配設されている。着座部１１の回動は着座部回動機構１４の歯車部１４ａと歯車部１２２ａを経て回動部１２２に伝達される。ネジ部１２２ｂは、歯車部１２２ａの上方に歯車部１２２ａと一体に構成される。ネジ部１２２ｂは前記歯車部１２２ａの上面から上方に延びる円柱状の形状で、その中心は歯車部１２２ａと同一となるように形成され、その表面にはおねじのネジ山が形成される。上下動部１２３は、円柱状の形状をなしており、その内部には、円柱状の空間１２３ａが下方を開放開口端として形成される。空間１２３ａの内壁には、ネジ部１２２ｂのおねじのネジ山と噛み合うようにめねじが形成されている。ネジ部１２２ｂ及び空間１２３ａに形成されているネジパターンは、着座した使用者から見て左側（図１及び図２においては右側）の肘掛部１２Ｌでは、下方から見て左ネジとなっている。一方、使用者から見て右側（図１及び図２においては左側）の肘掛部１２Ｒでは、ネジパターンは右ネジとなっている。空間１２３ａには、ネジ部１２２ｂが下方からねじこまれており、このことで、上下動部１２３は、回動部１２２の上方に、垂直方向に延びて位置する。ネジ部１２２ｂは、着座部１１が正面向きの際に空間１２３ａの、上下方向の中間部が先端となるようにねじこまれている。ネジ山１２２ｂと空間１２３ａの長さは、着座部１１が左右９０度に回動した際に、着座部回動機構の歯車部１４ａから回動部の歯車部１２２ａに伝わった回動によって、ネジ山１２２ｂが空間１２３ａに対してねじこみ過ぎてしまうことがなく、かつネジ山１２２ｂが空間１２３ａから、抜けきってしまうこともない長さになっている。
【００２７】
肘掛部上下動機構１２１の後方には、肘掛回動防止部１２４が形成されている。肘掛回動防止部１２４は垂直方向に延びる円柱状の形状をしており、肘掛支持部１７に設けられた孔１７ａに、上下動自在に挿入されている。肘掛回動防止部１２４は、ネジ部１２２ｂが回動をする際、上下動部１２３が、ネジ部１２２ｂの回動につられて回動することを防止し、ネジ部１２２ｂが上下動部１２３にねじ込まれる（または抜けていく）ようにする働きを持つ。
【００２８】
肘掛１２０は、肘掛支持部１７の上方の、上下動部１２３及び肘掛回動防止部１２４の上方に設けられる。肘掛１２０は前後方向に長い矩形状をなしており、上下動部１２３及び肘掛回動防止部１２４は、肘掛１２０の下側にそれぞれ固定されている。
【００２９】
次に、本発明のストレッチ椅子１の使用時の動作について説明する。図５、図６は、着座部１１の回動と肘掛部１２の上下動の関係を示す図である。
【００３０】
図示されない使用者は、本実施形態のストレッチ椅子１の使用時にはその臀部を着座部１１に着け、上半身の背面を背当て部１３に当てる。また、左右の前腕部をそれぞれ肘掛部１２Ｌ、１２Ｒの肘掛１２０に乗せる。
【００３１】
使用者が着座部１１をその腰の捻りによって、図５で示す通り、上方から見て右回り（矢印Ａ１で示される方向）に回動させると、着座部回動機構１４も同時に右回りに回動する。着座部回動機構１４の歯車部１４ａの右回りの回動は、互いに歯をかみ合わせている、左右両側の肘掛部１２Ｌ、１２Ｒに設けられている歯車部１２２ａの左回り（下方から見ると右回り）の回動として伝達される。歯車部１２２ａが左回りに回動すると、歯車部１２２ａの上方に一体に形成されているネジ部１２２ｂも同時に左回り（下方から見ると右回り）に回動する。使用者から見て左側（図１及び図２においては右側）の肘掛部１２Ｌにおいては、下方から見て左ネジパターンが形成されているため、上下動部１２３に挿入されているネジ部１２２ｂが下方から見て右回りをすることにより、ネジ部１２２ｂから上下動部１２３が抜ける動きをする。この際、肘掛回動防止部１２４が、肘掛１２０から肘掛支持部１７に設けられた孔１７ａへと配設されているため、肘掛１２０は水平方向には回動しない。よって上下動部１２３も水平方向には回動しないため、ネジ部１２２ｂの回動につられて回動せず、よってネジ部１２２ｂの回動によって上下動部１２３がネジ部１２２ｂから抜けていく。ネジ部１２２ｂから上下動部１２３が抜ける動きをすると、肘掛支持部１７から肘掛１２０までの長さが長くなる。肘掛支持部１７の高さは変わらないため、結果として使用者の左腕が乗っている肘掛部１２Ｌの肘掛１２０の高さが上がる動き（矢印Ｂ１の方向に動く）をする。一方、使用者から見て右側（図１及び図２においては左側）の肘掛部１２Ｒにおいては、下方から見て右ネジパターンが形成されているため、上下動部１２３に挿入されているネジ部１２２ｂが下方から見て右回りをすることにより、上下動部１２３がネジ部１２２ｂにねじ込まれる動きをする。この際、肘掛回動防止部１２４が、肘掛１２０から肘掛支持部１７に設けられた孔１７ａへと配設されているため、肘掛１２０は水平方向には回動しない。よって、上下動部１２３も水平方向には回動しないため、ネジ部１２２ｂの回動につられて回動せず、よってネジ部１２２ｂの回動によって上下動部１２３がネジ部１２２ｂにねじ込まれていく。上下動部１２３がネジ部１２２ｂにねじ込まれる動きをすると、肘掛支持部１７から肘掛１２０までの長さが短くなる。肘掛支持部１７の高さは変わらないため、結果として使用者の右腕が乗っている肘掛部１２Ｒの肘掛１２０の高さが下がる動き（矢印Ｃ１の方向に動く）をする。
【００３２】
逆に、使用者が着座部１１をその腰の捻りによって、図６で示す通り、上方から見て左回り（矢印Ａ２で示される方向）に回動させると、着座部回動機構１４も同時に左回りに回動する。着座部回動機構１４の歯車部１４ａの左回りの回動は、互いに歯をかみ合わせている、左右両側の肘掛部１２Ｌ、１２Ｒに設けられている歯車部１２２ａの右回り（下方から見ると左回り）の回動として伝達される。歯車部１２２ａが右回りに回動すると、歯車部１２２ａの上方に一体に形成されているネジ部１２２ｂも同時に右回り（下方から見ると左回り）に回動する。使用者から見て左側（図１及び図２においては右側）の肘掛部１２Ｌにおいては、下方から見て左ネジパターンが形成されているため、上下動部１２３に挿入されているネジ部１２２ｂが下方から見て左回りをすることにより、上下動部１２３がネジ部１２２ｂにねじ込まれる動きをする。この際、肘掛回動防止部１２４が、肘掛１２０から肘掛支持部１７に設けられた孔１７ａへと配設されているため、肘掛１２０は水平方向には回動しない。よって、上下動部１２３も水平方向には回動しないため、ネジ部１２２ｂの回動につられて回動せず、よってネジ部１２２ｂの回動によっては上下動部１２３がネジ部１２２ｂにねじ込まれていく。上下動部１２３がネジ部１２２ｂにねじ込まれる動きをすると、肘掛支持部１７から肘掛１２０までの長さが短くなる。肘掛支持部１７の高さは変わらないため、結果として使用者の左腕が乗っている肘掛部１２Ｌの肘掛１２０の高さが下がる動き（矢印Ｂ２の方向に動く）をする。一方、使用者から見て右側（図１及び図２においては左側）の肘掛部１２Ｒにおいては、下方から見て右ネジパターンが形成されているため、上下動部１２３に挿入されているネジ部１２２ｂが下方から見て左回りをすることにより、ネジ部１２２ｂから上下動部１２３が抜ける動きをする。この際、肘掛回動防止部１２４が、肘掛１２０から肘掛支持部１７に設けられた孔１７ａへと配設されているため、肘掛１２０は水平方向には回動しない。よって、上下動部１２３も水平方向には回動しないため、ネジ部１２２ｂの回動につられて回動せず、よってネジ部１２２ｂの回動によって上下動部１２３がネジ部１２２ｂから抜けていく。ネジ部１２２ｂから上下動部１２３が抜ける動きをすると、肘掛支持部１７から肘掛１２０までの長さが長くなる。肘掛支持部１７の高さは変わらないため、結果として使用者の右腕が乗っている肘掛部１２Ｒの肘掛１２０の高さが上がる動き（矢印Ｃ２の方向に動く）をする。
【００３３】
上述したように、本発明のストレッチ椅子１は、使用者が着座部１１に着席し、腰を上方から見て右回りに捻ると、図５に示す通り、使用者の左腕を乗せる肘掛部１２Ｌの高さが上がり、右腕を乗せる肘掛部１２Ｒの高さは下がる。反対に、使用者が着座部１１に着席し、腰を上方から見て左回りに捻ると、図６に示す通り、使用者の左腕を乗せる肘掛部１２Ｌの高さは下がり、右腕を乗せる肘掛部１２Ｒの高さは上がる。つまり、常に回動方向と反対側の腕を乗せる肘掛が上がるようになっている。このことにより、腰の捻りにより筋肉が伸びる側の腕が上がり、脇腹の筋肉を伸ばすことができる。
【００３４】
また、背当て部１３は背当て支持部１６を経て脚部１５に固定され、肘掛部１２は、肘掛支持部１７、背当て支持部１６を経て脚部１５に固定されているため、着座部１１を腰のひねりで回動させても、同様に回動することがない。このため、使用者の上半身を背当て部１３に密着させることで、上半身を動かすことなく腰部を捻ることができ、回動方向と反対側（左回りに捻ると右側、右回りに捻ると左側）の腰部に対し、効果的に腰部のストレッチを行うことが可能となる。また、回動方向と反対側の脇腹と腰部に対し同時にストレッチを行うことが可能となるため、より効果的なストレッチを行うことが可能となる。
【００３５】
また、使用者の腕を乗せた肘掛部１２が上下することにより、肩についても同時にストレッチを行うことが可能となる。このため、本発明のストレッチ椅子１を使用することで、腰部、脇腹、肩部の３箇所について、同時にストレッチを行うことが可能となる。
【００３６】
（変形例１：ラック＆ピニオンの構成）
＜第２実施形態＞
第２実施形態は、第１実施形態の変形例であり、着座部回動機構歯車部から肘掛部上下動機構への動きの伝達方法が異なる。図７は第２実施形態のストレッチ椅子１００の斜視図であり、図８は第２実施形態のストレッチ椅子１００の肘掛部２００の拡大図である。
【００３７】
第２実施形態のストレッチ椅子１００は、図７に示す通り、着座部１１と、着座部１１の左右に配設されている肘掛部２００（着座部１１の左側２００Ｌ、右側２００Ｒ）と、着座部１１の後方に配設されている背当て部１３を備えている。着座部１１の下方には着座部回動機構１４０が、脚部１５との間に設けられている。第１実施形態のストレッチ椅子１と比べ、着座部回動機構１４０及び肘掛部２００の構成が異なっている。以降の説明は、第１実施形態と異なる点についてのみ行い、第１実施形態と同様の点については、同様の符号を付し、説明を省略する。
【００３８】
第２実施形態の着座部回動機構１４０の歯車部１４０ａは、第１実施形態の着座部回動機構１４の歯車部１４ａと比べ外周面に設けられている歯の形状が異なり、下側が広がっているような円錐状の、いわゆるかさ歯車となっている。前記着座部１１が歯車部１４０ａの上面に固定された状態において、前記歯車部１４０ａの直径は、少なくとも前記着座部１１の左右両側において着座部１１よりも外側にはみ出す大きさに設定されており、また、少なくとも着座部１１の前側においては、着座部１１よりも外側にはみ出さないことが望ましい。本実施形態においては、着座部１１の前後両側において歯車部１４０ａが着座部１１よりもはみ出さないように、着座部１１の前後方向の長さ、及び歯車部１４０ａの直径が設定されている。
【００３９】
第２実施形態の肘掛部２００は、図７乃至図８に示す通り、肘掛２１０と肘掛部上下動機構２２０及び肘掛脱落防止部２３０とからなる。肘掛部上下動機構２２０は、背当て支持部１６から着座部１１の左右両側に略水平に延出された肘掛支持部１７０から上方に延出しさらに左右水平方向に延出している回動軸２２３と、回動部２２１と、上下動部２２２とからなる。
【００４０】
前記回動部２２１は、かさ歯車部２２１ａと、ピニオンギア２２１ｂを組み合わせた形状となっている。前記かさ歯車部２２１ａは、外側に向かって広がるような円錐状の形状で、外周部にはかさ歯車が形成されており、回動軸２２３にて水平な軸線を中心として回動自在に軸支されている。かさ歯車部２２１ａは同じくかさ歯車である着座部回動機構１４０の歯車部１４０ａと噛み合って、着座部１１の回動方向を９０度変換し、水平方向の軸線を中心とした回動として得ることを可能としている。回動部２２１の回動方向は、椅子の外側から見て、着座部回動機構１４０の歯車部１４０ａを上から見た際の回動方向と同じとなる。前記ピニオンギア２２１ｂは、円盤形状をなし、その外周面には平歯車が形成されている。ピニオンギア２２１ｂは、かさ歯車部２２１ａの側面に一体に形成されており、かさ歯車部２２１ａとともに回動軸２２３にて水平な軸線を中心として回動自在に軸支されている。
【００４１】
前記上下動部２２２は、垂直方向に延びる角柱形状をしており、そのうち一面はラックギアが形成されている。上下動部２２２はピニオンギア２２１ｂの前方に、互いに歯がかみ合うように配設されている。
【００４２】
上下動部２２２の上方には肘掛２１０が一体に形成されている。肘掛２１０は前後方向に長い矩形状をなしている。
【００４３】
肘掛２１０の上下動部２２２が設けられている部位の後方には、肘掛脱落防止部２３０が下方に延出して設けられている。肘掛脱落防止部２３０は円柱状の形状をしており、肘掛支持部１７０に設けられた孔１７０ａに上下動自在に挿入されている。肘掛脱落防止部２３０は、上下動部２２２が回動部２２１から脱落しないよう、上下方向以外の方向に対して固定する働きを持つ。肘掛脱落防止部２３０は、上下動部２２２の前方に配設されていてもよい。
【００４４】
次に、第２実施例のストレッチ椅子１００の使用時の動作について説明する。図９、図１０は、着座部１１の回動と肘掛部２００の上下動の関係を示す図である。
【００４５】
図示されない使用者は、本実施形態のストレッチ椅子１００の使用時にはその臀部を着座部１１に着け、上半身の背面を背当て部１３に当てる。また、左右の前腕部をそれぞれ肘掛部２００Ｌ、２００Ｒの肘掛２１０に乗せる。
【００４６】
使用者が着座部１１をその腰の捻りによって、図９で示す通り、上方から見て右回り（矢印Ａ３で示される方向）に回動させると、着座部回動機構１４０も同時に右回りに回動する。着座部回動機構１４０の歯車部１４０ａの右回りの回動は、互いに歯をかみ合わせている、左右両側の肘掛部２００Ｌ、２００Ｒに設けられている回動部２２１に伝達される。この際、左側の肘掛部２００Ｌの肘掛部上下動機構２２０の回動部２２１は、かさ歯車部２２１ａを介して、椅子の外側から見て右回りに回動する。この場合、椅子の前方側から見ると下から上へと動くように回動している。すると、ピニオンギア２２１ｂを介して、互いに歯をかみ合わせている、回動部２２１の前方に配設されている上下動部２２２には、上方向の直線運動が伝達される。このことにより、使用者の左腕が乗っている肘掛部２００Ｌの肘掛２１０は上方向（矢印Ｂ３で示される方向）に移動する。一方、右側の肘掛部２００Ｒの肘掛部上下動機構２２０の回動部２２１は、かさ歯車部２２１ａを介して、椅子の外側から見て右回りに回動する。この場合、椅子の前方側から見ると上から下へと動くように回動している。すると、ピニオンギア２２１ｂを介して、互いに歯をかみ合わせている、回動部２２１の前方に配設されている上下動部２２２には、下方向の直線運動が伝達される。このことにより、使用者の右腕が乗っている肘掛部２００Ｒの肘掛２１０は下方向（矢印Ｃ３で示される方向）に移動する。
【００４７】
逆に、使用者が着座部１１をその腰の捻りによって、図１０で示す通り、上方から見て左回り（矢印Ａ４で示される方向）に回動させると、着座部回動機構１４０も同時に左回りに回動する。着座部回動機構１４０の歯車部１４０ａの左回りの回動は、互いに歯をかみ合わせている、左右両側の肘掛部２００Ｌ、２００Ｒに設けられている回動部２２１に伝達される。この際、左側の肘掛部２２０Ｌの肘掛部上下動機構２２０の回動部２２１は、かさ歯車部２２１ａを介して、椅子の外側から見て左回りに回動する。この場合、椅子の前方側から見ると上から下へと動くように回動している。すると、ピニオンギア２２１ｂを介して、互いに歯をかみ合わせている、回動部２２１の前方の配設されている上下動部２２２には、下方向の直線運動が伝達される。このことにより、使用者の左腕が乗っている肘掛部２００Ｌの肘掛２１０は下方向（矢印Ｂ４で示される方向）に移動する。一方、右側の肘掛部２００Ｒの肘掛部上下動機構２２０の回動部２２１は、かさ歯車部２２１ａを介して、椅子の外側から見て左回りに回動する。この場合、椅子の前方側から見て下から上へと動くように回動している。すると、ピニオンギア２２１ｂを介して、互いに歯をかみ合わせている、回動部２２１の前方に配設されている上下動部２２２には、上方向の直線運動が伝達される。このことにより、使用者の右腕が乗っている肘掛部２００Ｒの肘掛２１０は上方向（矢印Ｃ４で示される方向）に移動する。
【００４８】
上述したように、第２実施形態のストレッチ椅子１００は、使用者が着座部１１に着席し、腰を上方から見て右回りに捻ると、図９に示す通り、使用者の左腕を乗せる肘掛部２００Ｌの高さが上がり、右腕を乗せる肘掛部２００Ｒの高さは下がる。反対に、使用者が着座部１１に着席し、腰を上方から見て左回りに捻ると、図１０に示す通り、使用者の左腕を乗せる肘掛部２００Ｌの高さは下がり、右腕を乗せる肘掛部２００Ｒの高さは上がる。つまり、常に回動方向と反対側の腕を乗せる肘掛けが上がるようになっている。このことにより、腰の捻りにより筋肉が伸びる側の腕が上がり、脇腹の筋肉を伸ばすことができる。
【００４９】
また、背当て部１３は背当て支持部１６を経て脚部１５に固定され、肘掛部２００は、肘掛支持部１７０、背当て支持部１６を経て脚部１５に固定されているため、着座部１１を腰のひねりで回動させても、同様に回動することがない。このため、使用者の上半身を背当て部１３に密着させることで、上半身を動かすことなく腰部を捻ることができ、回動方向と反対側（左回りに捻ると右側、右回りに捻ると左側）の腰部に対し、効果的に腰部のストレッチを行うことが可能となる。また、回動方向と反対側の腰部と脇腹に対し同時にストレッチを行うことが可能となるため、より効果的なストレッチを行うことが可能となる。
【００５０】
また、使用者の腕を乗せた肘掛部２００が上下することにより、肩についても同時にストレッチを行うことが可能となる。このため、本発明のストレッチ椅子１００を使用することで、腰部、脇腹、肩部の３箇所について、同時にストレッチを行うことが可能となる。
【００５１】
なお、本発明の第１実施形態のストレッチ椅子１及び第２実施形態のストレッチ椅子１００においては、その着座部にバイブレーション機構を設けることが可能である。バイブレーション機構としては、例えば、モーター等が挙げられる。このバイブレーション機構は、着座部の回動を検知することで自動的に動作するようにすることが望ましい。
【符号の説明】
【００５２】
１        ストレッチ椅子
１１      着座部
１２      肘掛部１３      背当て部
１４      着座部回動機構
１５      脚部
１６      背当て支持部
１７      肘掛支持部
１００    （第２実施形態の）ストレッチ椅子
１２０    肘掛
１２１    肘掛部上下動機構
１４０    （第２実施形態の）着座部回動機構
２００    （第２実施形態の）肘掛部
２１０    （第２実施形態の）肘掛
２２０    （第２実施形態の）肘掛部上下動機構
【図１】
2011036454.tif 000003
【図２】
2011036454.tif 000004
【図３】
2011036454.tif 000005
【図４】
2011036454.tif 000006
【図５】
2011036454.tif 000007
【図６】
2011036454.tif 000008
【図７】
2011036454.tif 000009
【図８】
2011036454.tif 000010
【図９】
2011036454.tif 000011
【図１０】
2011036454.tif 000012